(57)【特許請求の範囲】
【請求項１】
重なり合う厚紙シートの一方に係止片６を、他方に貫穴７を形成し、係止片６を貫穴７に押し込み、係止片６の両側方への張出部８を貫穴７の側縁に係合させて、厚紙シートの重合状態を保持する厚紙シートの重合ロックにおいて、前記係止片６の内側に先端へ向けて間隔が狭くなるＶ字状の斜折線９を形成し、貫穴７の両側縁に戻止片１０を設け、係止片６の基端側に位置する貫穴７の端縁に押圧片１１を設け、係止片６を基端で折れ曲がるように貫穴７に押し込むと、戻止片１０が開き、係止片６が基端の折り曲げ方向とは逆方向に斜折線９に沿って屈曲しつつ貫穴７に没入するようにしたことを特徴とする厚紙シートの重合ロック。
【請求項２】
重なり合う厚紙シートの一方に係止片６を、他方に貫穴７を形成し、係止片６を貫穴７に押し込み、係止片６の両側方への張出部８を貫穴７の側縁に係合させて、厚紙シートの重合状態を保持する厚紙シートの重合ロックにおいて、前記係止片６及び貫穴７を、折り重ねた厚紙シートの稜部に形成し、係止片６の内側に先端へ向けて間隔が狭くなるＶ字状の斜折線９を形成し、係止片６の基端側に位置する貫穴７の端縁に押圧片１１を設け、係止片６を基端で折れ曲がるように貫穴７に押し込むと、押圧片１１が倒れ、係止片６が基端の折り曲げ方向とは逆方向に斜折線９に沿って屈曲しつつ貫穴７に没入するようにしたことを特徴とする厚紙シートの重合ロック。
【発明の詳細な説明】
【０００１】
【発明の属する技術分野】
この発明は、段ボール等の厚紙シートを重ね合わせた状態で保持するロックに関するものである。
【０００２】
【従来の技術】
一般に、缶ビールを包装するラップラウンド式の段ボール製カートンは、図９に示すように、各一対の狭面板１及び広面板２を継代片３を介して連設し、狭面板１及び広面板２の両端に内フラップ４及び外フラップ５をそれぞれ連設した構成とされている。
【０００３】
ところが、このようなカートンは、段ボールの厚さを考慮して、対向する狭面板１又は広面板２の長さが異なっていることから、解体しても扁平にならない。
【０００４】
このため、図１０に示すように、重なり合う広面板２を切り込んで、その一方に先広がりの係止片６を、他方に貫穴７を形成し、係止片６を貫穴７に押し込んで、係止片６の先端側の張出部８を貫穴７の側縁に係合させ、広面板２同士が離反しないようにする重合ロックをカートンに設けることが考えられる。
【０００５】
【発明が解決しようとする課題】
しかしながら、上記のような重合ロックでは、係止片６が貫穴７から抜けやすく、係止片６の先端側の広がりを大きくしてロックを確実にしようとすると、係止片６を貫穴７に押し込みにくくなるという問題がある。
【０００６】
そこで、この発明は、厚紙シートを重合状態で簡単かつ確実にロックできる厚紙シートの重合ロックを提供することを課題とする。
【０００７】
【課題を解決するための手段】
上記課題を解決するため、この発明に係る重合ロックは、係止片の内側に先端へ向けて間隔が狭くなるＶ字状の斜折線を形成することにより、係止片の張出部が側方へ大きく張り出していても、係止片を斜折線沿いに屈曲させつつ、容易に貫穴に押し込めるようにしたのである。
【０００８】
また、貫穴の両側縁に戻止片を設け、この戻止片により、貫穴に押し込んだ係止片の戻りを防止し、係止片の基端側に位置する貫穴の端縁に押圧片を設け、この押圧片と戻止片とで係止片を挟むようにしたのである。
【０００９】
なお、係止片及び貫穴を、折り重ねた厚紙シートの稜部に形成すると、厚紙シートを４枚重ねた状態で強力にロックでき、係止片の内側に先端へ向けて間隔が狭くなるＶ字状の斜折線を形成すると、係止片を斜折線沿いに屈曲させつつ貫穴に押し込むことができるので、ロックしにくくなることもない。
【００１０】
さらに、前記係止片の基端側に位置する貫穴の端縁に押圧片を設けると、この押圧片で係止片が押圧され、ロックが外れにくくなる。
【００１１】
【発明の実施の形態】
以下、この発明の実施形態である重合ロックを、段ボール製カートンへ適用した事例について説明する。なお、上記従来例の各部に対応する部分には、同一の符号を使用する。
【００１２】
第１実施形態の重合ロックを備えたカートンのブランクでは、図１に示すように、各一対の狭面板１及び広面板２が交互に連設され、一方の狭面板１の外側縁に継代４及び外フラップ５が連設されている。
【００１３】
一方の広面板２には係止片６が、他方の広面板２には貫穴７がそれぞれ切込により形成されている。この係止片６には、基端寄りから段を介して両側方へ大きく張り出した張出部８が設けられ、その内側に先端へ向けて間隔が狭くなるＶ字状の斜折線９が形成されている。
【００１４】
また、貫穴７の両側縁には戻止片１０が設けられ、係止片６の基端側に位置する貫穴７の端縁には押圧片１１が設けられている。さらに、各狭面板１の中央部には、開封用の引裂帯の指入部１２が設けられている。
【００１５】
このようなブランクをカートンに形成するには、図２に示すように、狭面板１と広面板２の稜線を折り曲げて、継代片３を反対側の広面板２に貼着する。そして、内フラップ４と外フラップ５とを貼り合わせて商品を包装する。
【００１６】
一方、このカートンを使用後に廃棄する際には、図３に示すように、内フラップ４から外フラップ５を剥がし、狭面板１を倒すようにして押し潰す。
【００１７】
次に、広面板２同士が重なるように押し付けた状態で、図４に示すように、係止片６を貫穴７に押し込むと、戻止片１０が開き、係止片６が斜折線９沿いに屈曲しつつ貫穴７に没入し、張出部８が貫穴７の側縁に係合する。
【００１８】
これにより、図５に示すように、広面板２同士の離反が防止され、カートンは扁平に折り畳んだ状態で保持される。
【００１９】
また、このとき、戻止片１０が閉じて、貫穴７に押し込んだ係止片６の戻りが防止され、係止片６が戻止片１０と押圧片１１とで挟まれるので、確実にロックされ、係止片６が突き出すこともない。
【００２０】
次に、第２実施形態の重合ロックを備えたカートンについて、その特徴部分を中心に説明する。
【００２１】
このカートンのブランクでは、図６に示すように、係止片６及び貫穴７が狭面板１と広面板２の稜部を切り込んで形成され、狭面板１及び広面板２には、中央部を横切る中折線１３が設けられている。
【００２２】
このようなブランクから形成したカートンを、図７に示すように解体すると、係止片６の部分及び貫穴７の押圧片１１の部分が山折りされる。
【００２３】
そして、図８に示すように、中折線１３に沿ってカートンを二つ折りにし、係止片６を貫穴７に押し込むと、押圧片１１が倒れ、係止片６が斜折線９沿いに屈曲しつつ貫穴７に没入し、張出部８が貫穴７の側縁に係合する。
【００２４】
このような重合ロックでは、段ボールシートが４枚重なった状態で強力にロックされるので、中折線１３の反発を確実に抑えることができ、カートンを嵩張らない折畳状態で廃棄することができる。
【００２５】
【発明の効果】
以上のように、この発明に係る重合ロックでは、係止片の張出部が側方へ大きく張り出していても、係止片を斜折線沿いに屈曲させつつ、容易に貫穴に押し込むことができ、貫穴の側縁に係合した係止片が戻止片で戻り止めされ、押圧片で押さえられるので、厚紙シートを重合状態で簡単かつ確実にロックできる。
【００２６】
そのほか、係止片及び貫穴を、折り重ねた厚紙シートの稜部に形成すると、厚紙シートを４枚重ねた状態で強力にロックできる。
【図面の簡単な説明】
【図１】第１実施形態の重合ロックを備えたカートンのブランクを示す図
【図２】同上のカートンの組立状態を示す斜視図
【図３】同上のカートンの解体状態を示す斜視図
【図４】同上の重合ロックのロック過程を示す拡大斜視図
【図５】同上のカートンのロック状態を示す斜視図
【図６】第２実施形態の重合ロックを備えたカートンのブランクを示す図
【図７】同上のカートンの解体状態を示す斜視図
【図８】同上のカートンの折畳ロック状態を示す斜視図
【図９】重合ロックのないカートンの解体状態を示す斜視図
【図１０】従来の重合ロックの一例を示す斜視図
【符号の説明】
１  狭面板
２  広面板
３  継代片
４  内フラップ
５  外フラップ
６  係止片
７  貫穴
８  張出部
９  斜折線
１０  戻止片
１１  押圧片
【図１】
0004052817.tif 000002
【図２】
0004052817.tif 000003
【図３】
0004052817.tif 000004
【図４】
0004052817.tif 000005
【図５】
0004052817.tif 000006
【図６】
0004052817.tif 000007
【図７】
0004052817.tif 000008
【図８】
0004052817.tif 000009
【図９】
0004052817.tif 000010
【図１０】
0004052817.tif 000011